(57)【要約】【課題】従来のリサイクルデジタルカメラの画像をプリントするプリントボックスでデジタルカメラをそのボックスに挿入する口にはそれを覆うカバーもなく、デジタルカメラとプリンター用のメモリに画像を転送するのに使い勝手がよくなかった。【解決手段】リサイクルまたは再使用可能なデジタルカメラをプリントするボックスに挿入するのにカバーを設けて非使用時にいたずらなどで壊されることなく、またプリンター用のメモリとの結合は無線通信で行なうのでカメラを所定の場所に置くだけでそのメモリに画像信号を転送できる。さらにカメラを簡単な機構で使用済みのカメラを回収する装置を設ける。【選択図】図３
2010176653.tif 000002
【特許請求の範囲】
【請求項１】
プリントサービスシステムで、レンタルまたは再利用可能なデジタルカメラと、プリントサービス装置と、前記デジタルカメラを回収する回収装置とを備え、
前記デジタルカメラは、撮影レンズと、画像をストアする第１のメモリと、前記画像を前記プリントサービス装置に備えられた第２のメモリに送信する無線通信手段とを備え、
前記プリントサービス装置は、前記デジタルカメラを挿入する挿入口と、前記挿入口を開閉するドアと、前記ドアを開閉する開閉手段と、前記デジタルカメラを載置する載置台と、前記載置台に載置されたデジタルカメラを移動させる移動手段と、プリンターとを備え、前記画像及び前記画像以外の情報を表示する表示手段と、前記表示手段でプリントする画像を選択し、プリントサイズ、プリント枚数を設定するプリント設定手段と、プリント料金を演算する料金演算手段と、前記料金を徴収し決済する決済手段とを備え、
前記回収装置は、前記移動手段により移動する前記デジタルカメラを回収する回収手段を備え、
前記開閉手段、前記移動手段、前記無線通信手段、前記表示手段、前記プリント設定手段、前記料金演算手段、前記決済手段を制御する制御手段とを備えたプリントサービスシステム。
【請求項２】
さらに、前記プリントサービス装置は、画像が記憶された第３のメモリを装着可能とするメモリ装着手段を備えた請求項１に記載のプリントサービスシステム。
【請求項３】
前記開閉手段及び前記移動手段はモータを有し、前記モータの回転により前記開閉手段及び前記移動手段の移動を検出するスイッチとを備えた請求項１に記載のプリントサービスシステム。
【請求項４】
前記移動手段はプランジャーからなる請求項１に記載のプリントサービスシステム。
【請求項５】
前記回収装置が回収した前記デジタルカメラの台数を計数する計数表示部を備えた請求項１に記載のプリントサービスシステム。
【請求項６】
前記回収装置が回収した前記デジタルカメラの台数が所定台数以上になったとき報知する請求項５に記載のプリントサービスシステム。
【請求項７】
前記制御手段は、第２のメモリが第１のメモリを処理している間は、第２のメモリは第３のメモリの処理を阻止し、また第３のメモリを処理している間は、第１のメモリの処理を阻止するよう制御する請求項２に記載のプリントサービスシステム。
【発明の詳細な説明】
【技術分野】
【０００１】  本発明は、レンタルまたは再利用可能なデジタルカメラと、該デジタルカメラで撮影した画像のプリントを行なうプリントサービス装置と、プリントされた後に前記デジタルカメラの回収を行なう回収装置とを備えたプリントサービスシステムに関する。
【背景技術】
【０００２】  従来、写真プリント店に行って自らデジタルカメラで撮影した画像をストアしたメディアを受付ける店頭プリント受付機でプリントしたい画像を選択してプリントを依頼していた。または自宅でパソコンからインターネットを通してプリントを依頼していたが操作性が困難でプリントを依頼することが面倒であった。また、デジタルカメラは高機能化と共に価格も高く、デジタルカメラを一年に一度か二度しか使わないものにとって高価であり、モデルチェンジも頻繁であるので、購入したデジタルカメラが旧式であると感じることも多々あった。【０００３】  そこで、特許文献１に示すように、プリント出力時に窓口業務やプリントの専門家が扱う必要がなく、プリント出力を短時間で行うと共に、ＣＭＯＳイメージセンサと内蔵メモリと必要最小限の機能を有した構成のデジタルカメラを、安価に製造することが可能なデジタルカメラシステム及びカメラのリサイクルシステムが提案されている。
以下、図２４に基づいて特許文献１を説明する。【０００４】  デジタルカメラ４１は、画像メモリ４２を内蔵しているが着脱できないように構成されている。そして、このデジタルカメラ４１によって撮影が行われると、後述するプリントサービス装置４０は撮影済みのデジタルカメラ４１から画像データをプリントアウトするための装置である。このプリントサービス装置４０には、上述した撮影済みのデジタルカメラ４１を該装置内に挿入するべくカメラデジタルカメラ挿入口４２が設けられている。デジタルカメラ４１からの画像データは、図示されないコネクタ等を介してＣＰＵ４３に供給される。【０００５】  ＣＰＵ４３は、このプリントサービス装置４０全体の制御を司るもので、デジタルカメラ４１の撮影データをダウンロードして記憶する画像メモリ４４と、ユーザがプリントサイズや枚数、一部プリントの場合はプリントするコマ等を指定するためのユーザインターフェイス部であるユーザ指示部４５と、上記プリントサイズ、枚数等により課金するもので、金額表示と入金口を有した課金ボックス４６と、上記画像メモリ４４に記憶された映像をプリントアウトするプリンター装置４７と、が接続されている。【０００６】  このプリンター装置４７の図示されない画像処理回路により、画像処理が行われ、プリント制御等が行われるようになっている。このプリンター装置４７の制御により、プリントアウトされた出力画像４８が得られるようになっている。【０００７】  尚、上記ユーザ指示部４５は、例えばキーボードや釦、レバー等の入力手段が相当する。また、上記プリンター装置４７は、インクジェット型、或いは熱転写型のプリンター装置等が使用される。
【先行技術文献】
【特許文献】
【０００８】
【特許文献１】  特開２００２−２８１２２７号公報
【発明の概要】
【発明が解決しようとする課題】
【０００９】  しかしながら、特許文献１では、デジタルカメラ４１を挿入するデジタルカメラ挿入口４２に挿入して異物が侵入しないようにカバーすることは考えられていなかったし、また、レンタルまたは再利用可能なデジタルカメラをデジタルカメラ挿入口に挿入する前にいたずら行為によりデジタルカメラ挿入口に不具合が生じたりする問題があった。デジタルカメラ４１からの画像データは図示されないコネクタ等を介してＣＰＵ４３に供給されると記載しているが、もしもデジタルカメラ４１とＣＰＵ４３とのメカ的な結合を挿入前に挿入するとか、デジタルカメラ４１を挿入してＣＰＵ４３の端子と結合する場合など、操作性が悪く、手間も係るので問題であった。また、デジタルカメラ４１のＣＰＵに画像データを供給した後のデジタルカメラ４１をどのようにして回収するかについては具体的には何も記載されておらず特別の考慮もされていなかった。
【課題を解決するための手段】
【００１０】    上記目的を達成するために、本発明の請求項１は、プリントサービスシステムで、レンタルまたは再利用可能なデジタルカメラと、プリントサービス装置と、前記デジタルカメラを回収する回収装置とを備え、
前記デジタルカメラは、撮影レンズと、画像をストアする第１のメモリと、前記画像を前記プリントサービス装置に備えられた第２のメモリに送信する無線通信手段とを備え、
前記プリントサービス装置は、前記デジタルカメラを挿入する挿入口と、前記挿入口を開閉するドアと、前記ドアを開閉する開閉手段と、前記デジタルカメラを載置する載置台と、前記載置台に載置されたデジタルカメラを移動させる移動手段と、プリンターとを備え、前記画像及び前記画像以外の情報を表示する表示手段と、前記表示手段でプリントする画像を選択し、プリントサイズ、プリント枚数を設定するプリント設定手段と、プリント料金を演算する料金演算手段と、前記料金を徴収し決済する決済手段とを備え、
前記回収装置は、前記移動手段により移動する前記デジタルカメラを回収する回収手段を備え、
前記開閉手段、前記移動手段、前記無線通信手段、前記表示手段、前記プリント設定手段、前記料金演算手段、前記決済手段を制御する制御手段とを備えたプリントサービスシステムを提供するものである。【００１１】  請求項２は、さらに、前記プリントサービス装置は、画像が記憶されたメディアを装着可能とするメディア装着手段を備えた請求項１に記載のプリントサービスシステムを提供するものである。【００１２】  請求項３は、前記開閉手段及び前記移動手段はモータを有し、前記モータの回転により前記開閉手段及び前記移動手段の移動を検出するスイッチとを備えた請求項１に記載のプリントサービスシステムを提供することにあり、請求項４は前記移動手段はプランジャーからなる請求項１に記載のプリントサービスシステムを提供することにある。【００１３】  請求項５は、前記プリントサービス装置は、前記回収装置が回収した前記デジタルカメラの台数を計数する計数表示部を備えた請求項１に記載のプリントサービスシステムを提供することにあり、請求項６は所定の台数以上回収したときは警告する請求項５に記載のプリントサービスシステムを提供することにある。【００１４】  請求項７は、前記制御手段は、第２のメモリが第１のメモリの画像信号を処理している間は、第２のメモリは前記メディアの画像信号の処理を阻止し、また前記メディアの画像信号を処理している間は、第１のメモリの画像信号の処理を阻止するよう制御する請求項２に記載のプリントサービスシステムを提供することにある。
【発明の効果】
【００１５】  上述したように本発明のプリントサービスシステムでは、まず前記デジタルカメラのデジタルカメラ挿入口に開閉可能なドアを設けたのでいたずらをされることもなく、またデジタルカメラの画像を蓄えたメモリに対して無線通信でサーバーに記憶するのでデジタルカメラの大きさとか形状に対して自由度があり、また用済みのデジタルカメラを回収する機構を設けたので確実にカメラを回収することができる。
【図面の簡単な説明】
【００１６】
【図１】  本発明のプリントサービス装置に用いるレンタルまたは再利用可能なデジタルカメラ
【図２】  本発明のプリントサービスシステムのプリントサービス装置の正面図
【図３】  本発明のプリントサービスシステムのプリントサービス装置のブロック図
【図４】  本発明のモータＭ１に使用するモータドライバーの状態を示す図
【図５】  本発明のモータＭ２に使用するモータドライバーの状態を示す図
【図６】  プリントサービス装置のデジタルカメラを挿入するデジタルカメラ挿入口のドア閉鎖状態を示す図
【図７】  プリントサービス装置のデジタルカメラを挿入するデジタルカメラ挿入口のドア開放状態を示す図
【図８】  プリントサービス装置のデジタルカメラを回収する状態を示す図
【図９】  デジタルカメラの送信部４から送信されるデータの例
【図１０】  本発明のプリントサービスシステムのプリントサービス装置の作動を示すフローチャート
【図１１】  画像を記憶したメディアの画像を取扱う作動を示すフローチャート
【図１２】  プリントサービス装置の表示器の表示状態を示す図
【図１３】  プリントサービス装置の表示器の表示状態を示す図
【図１４】  プリントサービス装置の表示器の表示状態を示す図
【図１５】  プリントサービス装置の表示器の表示状態を示す図
【図１６】  プリントサービス装置の表示器の表示状態を示す図
【図１７】  プリントサービス装置の表示器の表示状態を示す図
【図１８】  プリントサービス装置の表示器の表示状態を示す図
【図１９】  プリントサービス装置の表示器の表示状態を示す図
【図２０】  プリントサービス装置の表示器の表示状態を示す図
【図２１】  プリントサービス装置の表示器の表示状態を示す図
【図２２】  プリントサービス装置からプリンターを別体構成にした図
【図２３】  回収に関する別実施例
【図２４】  従来例
【発明を実施するための最良の形態】
【００１７】  以下、本発明の実施の形態を図１〜図２３に基づいて説明する。【００１８】  図１は本発明のプリントサービスシステムに用いるレンタルまたは再利用可能なデジタルカメラを示す。
１はレンタルまたは再利用可能なデジタルカメラのデジタルカメラ、２は撮影レンズ、３は撮影レンズ２により撮影された画像をストアする第１のメモリ、４は第１のメモリにストアされた画像を赤外線に載せて無線通信方式で後述するプリントサービス装置の第２のメモリに送信する送信部である。５は電源スイッチであり、画像をプリントしようとするときは第１のメモリにストアされた画像を後述するプリントサービス装置に送信するためにあらかじめ電源スイッチをオンする必要がある。【００１９】  図２は本発明のプリントサービスシステムに用いられるプリントサービス装置と回収装置を示す正面図である。
１１はプリントサービス装置を、１２は前記デジタルカメラに設けられたデジタルカメラを挿入するデジタルカメラ挿入口を、１３はデジタルカメラ挿入口１２を開閉するドアを、１５は前記デジタルカメラを載置する載置台を示す。１６は前記デジタルカメラで撮影された画像を表示し、操作手順等を表示し、また後述するタッチセンサーを内蔵した表示器を示す。１６Ａはドア１３を開閉させる表示器１６上で表示されたタッチセンサーであるドアスイッチ部（Ｄ−ＳＷ）を、１６Ｂは表示器１６上で表示されたタッチセンサーである画像読込部（ＲＥＡＤ）を示す。１６Ｃは表示器１６上にあるタッチセンサーで、投入した金銭を戻すとか、写真のプリントの注文を取消すとかに用いる取消部（ＣＡＮＣＥＬ）を示し、１６Ｄは表示器１６上にあるタッチセンサーでＯＫ部（ＯＫ）を示す。１６Ｅはプリントサイズ、枚数等は表示器１６に設けられたタッチセンサーであるキーボード入力部を示す。１６Ｄは表示器１６上にあるタッチセンサーで、投入した金銭を戻すとか、写真のプリントの注文を取消すとかに用いる取消部（ＣＡＮＣＥＬ）示し、１６Ｅは表示器１６上にあるタッチセンサーでＯＫ部（ＯＫ）を示す。１８はデジタルカメラ１の第１のメモリからの画像を受信してストアする第２のメモリを示す。１９はデジタルカメラ等で撮影した撮影画像をストアするメディアを示し、２０はメディア１９を挿入するメディア挿入部を示す。メディア挿入部２０はメモリのコネクタの形状に合わされ、複数の種類のメモリが挿入できるよう複数の孔が設けられている。２１は制御部で本発明のプリントサービスシステムの全体をつかさどる。【００２０】  また２３は紙幣を投入する紙幣用課金ボックス、２３Ａは硬貨を投入する硬貨用課金ボックス、２３Ｂはクレジットカードを投入するクレジットカード挿入部を示し、２３Ｘは釣銭が戻る返金口を示し、２３Ｙは返金供給部を、２３Ｚは釣銭供給部を示し、２４はレシートプリンターでレシートを発行する機能を有する。【００２１】  ２５はプリンターを示し、２６はプリンター２５が出力したプリントを取り出すプリント取り出し口を示す。【００２２】  回収装置として、２７はデジタルカメラを回収する、落下したデジタルカメラを回収する回収部と、２８は、回収時にモータＭ２の回転で載置台１５から落下する前記デジタルカメラの数を、ＬＥＤ等の光源からの光をデジタルカメラ１の通過で遮断される回数でカウントする光電計数部の発光器であり、２９は発光器２８からの光を受光する受光器である。ＬＥＤ等の光源からの光をデジタルカメラの通過で遮断した回数を制御部２１で計数する。【００２３】  図３は本発明のプリントサービスシステムのプリントサービス装置と回収装置のブロック図を示す。
プリントサービス装置１１のデジタルカメラ１を挿入するデジタルカメラ挿入口の前面には移動してデジタルカメラ挿入口を開閉可能なドア１３はモータＭ１と機械的に結合する。デジタルカメラ１を載置する載置台１５はモータＭ２と機械的に結合しており、モータＭ２は回転して載置台１５を傾け、載置されたデジタルカメラ１を回収部２７に落下させる。【００２４】  マイクロスイッチＭＳ１、ＭＳ２がモータＭ１の回転方向を変更及び停止させるための設けられており、マイクロスイッチＭＳ３、ＭＳ４がモータＭ２の回転方向を変更及び停止させるために設けられている。【００２５】  制御部２１には多くの端子が設けられ、図３では制御部２１のモータＭ１を駆動するモータドライバーＭＤ１はＡとＢの両端子と、モータＭ２を駆動するモータドライバーＭＤ２はＧとＨの両端子と、マイクロスイッチＭＳ１は端子Ｃと、マイクロスイッチＭＳ２は端子Ｄと、マイクロスイッチＭＳ３は端子Ｅと、マイクロスイッチＭＳ４は端子Ｆと、表示器１３は端子Ｓと、第２のメモリ１８は端子Ｉと、紙幣用課金ボックス２３は端子Ｎと、硬貨用課金ボックス２３Ａは端子Ｑと、クレジットカード挿入部２３Ｂは端子Ｏと、画像がストアされたメディア１９は端子Ｐと、レシートプリンター２４は端子Ｒと、釣銭供給部２３Ｚは端子Ｔと、プリンター２５は端子Ｊと、発光器２８は端子Ｋと、受光器２９は端子Ｍと電線によって接続している。また、表示器１６は端子Ｓの他に、表示器１６の中のタッチセンサーがそれぞれ接続したドアスイッチ部１６Ａは端子ＳＡと、画像読込部１６ＢはＳＢと、取消部１６Ｃは端子ＳＣと、ＯＫ部１６Ｄは端子ＳＤと接続し、キーボード部１６Ｅは端子群Ｅと接続し、各キーに相当する数の端子を有する。【００２６】  制御部２１の端子Ｌはデジタルカメラ１の送信部４と接続しており、送信部４と第２のメモリとの間にアナログスイッチ４Ａが接続され、画像があらかじめ記憶されたメディアと第２のメモリとの間にアナログスイッチ１９Ａが接続されている。【００２７】  アナログスイッチ４Ａは制御部２１の端子Ｘからの信号によりオンとなると、送信部４から第１のメモリ３の画像信号を第２メモリに伝送されることを許可する。またアナログスイッチ１９Ａは制御部２１の端子Ｙからの信号によりアナログスイッチ１９Ａはオンとなることにより、メディアから第２のメモリに伝送されることを許可する。ここで制御装置２１は、プリントがカメラ読取モードによるプリントか、メディア読取モードによるプリントか混乱しないように、アナログスイッチ４Ａとアナログスイッチ１９Ａは一旦オンになると、そのカメラまたはメディアのプリントが終了するまでオンになるようにオン状態が維持され、同時期にオンにならないように制御している。【００２８】  プリントサイズ、枚数等は表示器１６に設けられたタッチセンサーであるキーボード入力部１６Ｅで入力すると、表示器１６と接続する端子ＳＥを介して制御部２１に入力されてプリント費用の合計が演算される。そしてプリント費用の合計は端子Ｓを介して表示器１６に表示される。金額が紙幣用課金ボックス２３に投入されると、不図示の紙幣読取装置で読取った情報が端子Ｎを介して制御部２１に入力される��制御部２１でタッチセンサーのキーボード入力部１６Ｅで入力され表示器１６と接続する端子ＳＥを介して入力された費用合計と端子Ｎを介して入力された紙幣読取装置で読取った情報とを比較して正しく金額が投入されたかどうかを判断し、正しければその金額を印字したレシートを制御部２１の端子Ｒを介してレシート発行用のレシートプリンター２４からプリントされて発行される。【００２９】  また、硬貨が硬貨用課金ボックス２３Ａに投入されたとき、不図示の硬貨読取装置で読取った情報が端子Ｐを介して制御部２１に入力される。制御部２１で先の端子Ｓを介して入力された費用合計と端子Ｐを介して入力された不図示の硬貨読取装置で読取った情報とを比較して正しく金額が投入されたかどうかを判断し、正しければその金額を印字したレシートを制御部２１の端子Ｒを介してレシートプリンター２４からプリントされて発行される。【００３０】  紙幣用課金ボックス２３、硬貨用課金ボックス２３Ａより投入された金額がプリント費用の金額よりも多いと制御部２１が判断し、釣銭を演算し、制御部の端子Ｔより釣銭支払信号を出力し、釣銭供給部２３Ｚより釣銭が返金口２３Ｘより排出される。【００３１】  現金の代わりにクレジットカードがクレジットカード挿入部２３Ｂに挿入されると、まず不図示のクレジットカード読取装置で本人確認のためにクレジットカードの認証をとると共にクレジットカードに支払う金額以上の金額が貯えられているか否かを制御部２１の端子Ｑに入力されて制御部２１で判断し、支払う金額以上の金額が貯えられていると判断すると、現金の場合と同様にその金額を印字したレシートをレシートプリンター２４よりプリントされて発行される。【００３２】  図４はデジタルカメラ挿入口１２を開閉するドア１３を移動させるモータＭ１を制御部２１の信号により駆動するモータドライバー回路ＭＤ１を示す。
制御部２１の端子Ａ、Ｂの状態とモータドライバー制御回路の出力端子の関係は表１に示す。
【表１】
2010176653.tif 000003
制御部２１より端子Ａに対してＨ信号を、端子Ｂに対してＬ信号を供給すると、制御回路を介してトランジスタＴｒ１、Ｔｒ２、Ｔｒ３、Ｔｒ４で構成されているブリッジ回路のＴｒ１、Ｔｒ４をオン、Ｔｒ２、Ｔｒ３をオフすると、Ｖｓ電源から電流が、Ｔｒ１を通ってモータＭ１を実線の矢印方向に流れ、Ｔｒ４を通ってＧＮＤに流れる。モータＭ１は正転し、ドア１３をデジタルカメラ挿入口１２を開放方向に移動させる。【００３３】  また制御部２１より端子Ａに対してＬ信号を、端子Ｂに対してＨ信号を供給すると、制御回路を介してトランジスタＴｒ１、Ｔｒ４をオフ、Ｔｒ２、Ｔｒ３をオンにすると、Ｖｓ電源から電流が、Ｔｒ３を流れ、モータＭ１に対して破線の矢印方向に流れ、Ｔｒ２を通ってＧＮＤに流れる。モータは逆転し、ドア１３をデジタルカメラ挿入口１２に対して閉鎖方向に移動させる。【００３４】  モータＭ２対しては図５で示し、制御部２１の端子Ｇ、Ｈから制御回路を通して同じ構成のブリッジ回路を持つモータＭ１と同様な形式のモータドライバーＭＤ２が使用されることによってモータが正転及び逆転され、載置台１５が回転されて回収部２７に載置台にあったデジタルカメラが回収される。
【表２】
2010176653.tif 000004
【００３５】  図６、図７はドア１３のデジタルカメラ１を挿入するデジタルカメラ挿入口１２の開閉を制御する図面を示す。
モータＭ１の回転、停止を制御するマイクロスイッチＭＳ１、ＭＳ２がドア１３の移動通路に配されている。
制御部２１の端子Ａ、Ｂからの信号により、モータＭ１が駆動されてモータＭ１に取り付けられた不図示のギアと噛み合ったギアＧ１を介してドア１３の下端部の取り付けられた不図示のギアが噛み合って移動する。そしてモータＭ１の回転及び停止制御はマイクロスイッチＭＳ１、ＭＳ２がドア１３との接触を検知すると、制御部２１の端子Ｃ、Ｄから信号を、モータＭ１と接続する制御部２１の端子ＡおよびＢに与えて行なわれる。【００３６】  図６はドア１３がデジタルカメラ挿入口１２を閉鎖した状態を示し、図７はドア１３がデジタルカメラ挿入口１２を開放した状態を示す。
先に説明したようにドア１３を開放しようとするときは、制御部２１の端子ＡにＨ信号、端子ＢにＬ信号を与えると、モータＭ１は正転し、ドア１３はデジタルカメラ挿入口１２を閉鎖から開放する方向に移動し、移動するドア１３によって、マイクロスイッチＭＳ１がオフに、マイクロスイッチＭＳ２がオンになる。制御部２１の端子Ｄから、端子ＢにＨ信号が伝達され、ブレーキが掛けられモータＭ１を停止させ、ドア１３がデジタルカメラ挿入口を開放した状態で停止する。【００３７】  ドア１３を閉鎖しようとする時にはモータＭ１のモータドライバーＭＤ１と接続する端子ＡにＬ信号を与え、端子ＢにＨ信号のままの状態で、モータＭ１を逆転させる。ドア１３は移動し、マイクロスイッチＭＳ１がオンすると、制御部２１のマイクロスイッチＭＳ１と接続する端子Ｃから制御部２１のモータＭ１のモータドライバーＭＤ１と接続する端子ＢはＨ信号の状態のままで、端子ＡにＨ信号を与えると、モータＭ１にブレーキが掛かって、停止させ、ドア１３が閉鎖された状態で停止する。【００３８】  図８はデジタルカメラ１を回収する際に、モータＭ２の駆動で載置台１５が回転し、載置台に載置されたデジタルカメラ１が落下する回数を、光電検出部で検知される。
光電検出部は発光器２８と受光器２９からなり、発光器２８は、回数をカウント中は常時発光されており、受光器２９でその発光を受光するが、デジタルカメラ１が落下すると発光器から光を遮断する。その遮断した回数を受光器２９がとらえ、制御部２１の端子Ｍに入力されてカウントする。【００３９】  モータＭ２に制御部２１の端子ＧにＨ信号を、端子ＨにＬ信号を与えるとモータＭ２を正転させて傾斜させて、デジタルカメラ１は載置台１５からすべり、軟らかいネットのような部材からなる回収部２７に回収される。モータＭ２の回転でマイクロスイッチＭＳ３が載置台１５によってオンされると制御部２１のマイクロスイッチＭＳ３と接続する端子Ｅより制御部２１のモータＭ２と接続する端子ＧはＨ信号のままで、端子ＨにＨ信号を与えると、モータＭ２はブレーキを掛けられ、モータＭ２の回転を停止する。【００４０】  その後、制御部２１の端子Ｆから端子ＧにＬ信号を、端子ＨにＨ信号を与えてモータＭ２は逆転し、マイクロスイッチＭＳ４がオンすると、制御部２１の端子ＨにＨ信号の状態のままにして、マイクロスイッチＭＳ４と接続する端子Ｆより端子ＧにＨ信号を与え、制御部モータＭ２の回転はブレーキがかかって停止し、載置台１５は元の状態に戻る。【００４１】  図９はデジタルカメラ１の送信部４から第１のメモリにストアされた画像情報を第２のメモリに伝送する信号波形を示す。
制御部２１の端子Ｌからデジタルカメラ１の送信部４に信号を与え、図７に示すように画像信号を第２のメモリに伝送する。送信部４から発せられる信号は例えば高速赤外線通信プロトコルＩｒＳｉｍｐｌｅに準拠した信号であり、双方向通信を行なうプロファイルを有する。最初に接続信号を、それから画像情報を、送信が終わると切断信号を送信する。【００４２】  図１０はカメラのメモリにストアされた画像を直接に読取るカメラ読取モードの制御部２１の内容を示すフローチャートであり、図１２から図２１は表示器１６の表示内容を示す。【００４３】  まず、スタート時に、カメラ読取モードとするか、メディア読取モードとするかの表示、「カメラモードを選択するときは画面のドアスイッチ部（Ｄ−ＳＷ）を押してください。メディアモードを選択する際は左のメディア挿入部の適当な挿入部に、メディアを挿入して下さい。」という図１２のように表示器１６に表示される。【００４４】  Ｓ１で、デジタルカメラ１の第１のメモリにストアされた画像をプリントするカメラ読取モードとメディアにストアされた画像をプリントするメディア読取モードとするかを判定する。ここで表示器１６のタッチセンサーであるドアスイッチ部１６Ａをオンすることによってドア１３がデジタルカメラ挿入口１２を、モータＭ１を駆動してデジタルカメラ挿入口１２を開放してカメラ読取モードが選択される。【００４５】  もしカメラ読取モードを選択しない場合には、表示器１６のタッチセンサーであるドアスイッチ部１６ＡをオンにしないとＳ３に示すように撮影画像がストアされたメディア読取モードが選択されることになり、メディア読取モードは図１１のフローチャートで説明をする。【００４６】  カメラ読取モードを選択すると、Ｓ２に進み、ドア１３が開放される。Ｓ４に進み制御部２１より、図１３に示すように「カメラの電源をオンにし、載置台にカメラを載せてください。」という表示が表示器１６に表示される。【００４７】  Ｓ５に進み、上記の操作をしてデジタルカメラを挿入口に挿入する時間がかかり、その時間をもとに決めた所定時間の経過後にＳ６に進み、ドア１３はデジタルカメラ挿入口１２を閉鎖し、閉鎖されたことをマイクロスイッチＭＳ１がオンになり制御部２１の端子Ｃに入力される。【００４８】  Ｓ７に進み、図１４に示すように表示器１６には「画面上の画像読込部（ＲＥＡＤ）をオンしてください。」という表示が出る。表示器１６上の「画像読込部（ＲＥＡＤ）」１６Ｂをオンし、制御部２１の端子ＸよりＨ信号を出力してアナログスイッチ４Ａをオンし、制御部２１より端子ＹよりＬ信号を出力してアナログスイッチ１９Ａをオフすると共に、制御部２１の端子Ｌより送信部４を起動させる。Ｓ８に進み、赤外光を発光すると共に第１のメモリにストアされた画像情報は第２のメモリに伝送される。Ｓ９に進み、第２のメモリに画像が記憶される。【００４９】  Ｓ１０に進み、図１５のように画像が表示器１６上にサムネール表示される【００５０】  もし、第２のメモリに画像が存在しないときＳ１２に進み再度、制御部２１より端子ＡにＨ信号を、ＢにＬ信号を与えて、モータＭ１を駆動してドア１３を開放し、Ｓ１５に進み、再び「カメラの電源をオンにし、載置台にカメラを載せてください。」の表示がされ、所定時間後にＳ６に戻り制御部２１の端子ＡをＬ信号、ＢにＨ信号を与えて、モータＭ１を逆転させて後、ドア１３が閉鎖される。【００５１】  再度、第２のメモリに記憶されている画像が存在しないときはＳ１１からＳ６に戻るループを繰り返し、Ｓ１３で繰り返す回数をカウントし、所定回数Ｎ０以上の回数を繰り返されるとＳ１４に進みこの作業を中止し、図１５のように「画像の読み取りを中止します。△△△にお知らせ下さるようお願い致します」と表示する。【００５２】  Ｓ１１で第２のメモリに画像が存在するとき、Ｓ１７に進み、画像をサムネール表示と共に、図１６のように、「画面上のキーボードで個人情報、プリント画像を指定し、プリントサイズ・枚数を入力してください。個人情報は最上位置に番号で、画像の下右にサイズ、下左に枚数を入力してください。変更するなら変更してください。終了時は画面の「ＯＫ」を押してください。」と表示する。【００５３】  もし、図１６のような個人情報、プリント画像の指定、プリントサイズ、枚数などの入力をせず、Ｓ１８で画面上の「取消部（ＣＡＮＣＥＬ）」１６ＣをオンするとＳ１９に進み、ドア１３をモータ１を駆動してドアを開放し、図１８のように表示器１６の画面上で「カメラを取り出してください」と表示する。【００５４】  Ｓ１７で入力した各項目に対して変更なければ、Ｓ２０でＯＫと判断し、画面上で「ＯＫ部（ＯＫ）」をオンし、Ｓ２１で、制御部２１で金額を演算し、図１７のように「金額は○○円です。料金を、紙幣の方は、紙幣用課金ボックスに、硬貨の方は硬貨用課金ボックスに投入して下さい。」と示すように、所定の金額を、紙幣用課金ボックス２３乃至は硬貨用課金ボックス２３Ａに投入、またはクレジットカード挿入口２３Ｂに挿入するように指示する。【００５５】  Ｓ２２でクレジットカードを使うのか金額を投入するのか決定し、Ｓ２３で現金を投入することを決定したとき、Ｓ２４で金額を入れはじめ、一部投入したところで、Ｓ２５で、画面上の「取消部（ＣＡＮＣＥＬ）」１６Ｄが押されたことを制御部２１で認識すると、Ｓ２４に進み、紙幣用課金ボックス２３乃至は硬貨用課金ボックス２３Ａに入金された金銭を、それぞれの課金ボックスと接続した端子Ｎ、Ｑに対して制御部２１から支払われた金銭が返金口２３Ｘから排出されるように指示し返金する。返金口２３Ｘに料金が戻り、Ｓ１９に進み、制御部２１の端子ＡをＨ信号、端子ＢをＬ信号にしてモータＭ１を回転させてドア１３を開放し、図１８のように、デジタルカメラを取り出すよう指示する。【００５６】  Ｓ２５で、「取消部（ＣＡＮＣＥＬ）」１６Ｃを押さなければ、Ｓ２７で金額が投入された状態をみて、適正に投入されたと判断するとＳ３０に進み、制御部２１からの信号を端子Ｒによりレシートプリンター２４よりプリントしたレシートを発行する。【００５７】  投入された金額が演算した金額より多い、例えば紙幣の場合は端子Ｎ、硬貨の場合は端子Ｑで検知した金額が、表示器１６のキーボード入力部１６Ｅで入力して端子ＳＥで入力した金額より多いと制御部２１が判断した時、Ｓ２８に進み、制御部２１で釣銭処理をして釣銭は返金口２３Ｘに排出���れ、制御部２１から信号を端子Ｒから出され、Ｓ２８に進み、レシートプリンター２４よりレシートがプリントされて発行される。【００５８】  Ｓ３１に進み、制御部２１の端子Ｊより信号をプリンター２５に信号を与えてプリントを開始し、プリント中であることを表示器１６に図１９のように「プリント中です。○○分間お待ち下さい。」と表示する。プリントが終了すると、Ｓ３２に進み、プリント終了信号が出力され、図２０のように「プリントが終了しました。プリンター後部のプリント取り出し口よりプリントをお取り下さい。」と表示する。【００５９】  もしＳ２７で、金額が不十分と判定した場合、すなわち表示器１６のキーボード入力部１６Ｅで入力して端子ＳＥで入力した金額が、紙幣の場合は端子Ｎ、硬貨の場合は端子Ｑで検知した金額より少ないと判別した時には所定時間経過後に、Ｓ２６に進み、返金処理をする。Ｓ１９に進み、モータＭ１を駆動してドア１３を明けて図１８のように表示器１３に「カメラを取り出してください」と表示する。【００６０】  プリント終了を制御部２１の端子Ｊで認識すると、Ｓ３２に進んでプリント終了表示を図２０のように表示する。【００６１】  プリント終了後、Ｓ３３に進み、制御部２１の端子ＧをＨ信号に、端子ＨよりＬ信号を出力し、モータＭ２を正転させて載置台１５を回転する。所定位置でマイクロスイッチＭＳ３をオンしてモータドライバーＭＤ２の端子ＧはＨ信号のままで、端子ＨをＨ信号にしてブレーキをかけモータＭ２を停止させる。デジタルカメラ１は載置台１５を滑って回収部２７に回収される。モータドライバーＭＤ２の端子ＧをＬ信号にし、端子ＨをＨ信号にしてモータＭ２を逆転し、マイクロスイッチＭＳ４オンを検知し、モータドライバーＭＤ２の端子ＧはＨ信号にし、端子ＧをＨ信号のままでモータＭ２にブレーキを掛けて停止する。【００６２】  デジタルカメラ１が載置台１５が傾斜して落下すると、発光器２８の光は遮られ、その回数を受光器２９から制御部２１の端子Ｍに入力されて制御部２１でカウントし、Ｓ３４で所定台数以上かどうかを判定し、所定台数の以下の場合はＳ３５に進み、図２１のように台数表示し、所定台数以上の場合はＳ３６に進み、例えば、音声または表示器１６の画面上で警告信号を発生するなどして警告する。すなわち、回収部２７のスペースにも制限があり、かつデジタルカメラの台数がスペースの割合に多いとデジタルカメラ同士が衝突して傷ついたりするので制限を加える。【００６３】  また、図１０において、Ｓ２２でクレジットカードの場合にはクレジットカード挿入部２３Ｂに挿入し、Ｓ３７で本人確認の認証をとってＯＫであることが判別され、Ｓ３８に進み、クレジットカードで使用できる金額以内の場合、使用できる金額からプリント代相当のものを差し引く。ここでも不足の場合はＳ１９に進み、前述したようにドアを開放し、デジタルカメラを取り出すように指示する。また、クレジットカードで支払うことが決定した場合でも画面上の「取消部（ＣＡＮＣＥＬ）」１６Ｄが押されたことを制御部２１で認識するとＳ２６に進み、返金処理をして、前述と同じようにＳ１９に進み、前述したようにドアを開放し、デジタルカメラを取り出すように指示する。���００６４】  図１０ではデジタルカメラ１の第１のメモリにストアされた画像をプリントするカメラ読取モードについて説明したが、図１１は、メディア読取モードではメディアの画像を読取るモードである。但し、図１１ではクレジットカードを使用するモードは図１０と同様であるのでフローに含まれていない。【００６５】  Ｓ４１で表示器１６上の画像読込部１６Ｂをオンすると、制御部２１より端子Ｘよりアナログスイッチ４Ａをオフすると共に端子Ｙよりアナログスイッチ１９Ａをオンすることで、Ｓ４２で画像情報を第２のメモリに記憶し、Ｓ４３で画像情報がサムネール表示される。【００６６】  Ｓ４４に進み、図１０のカメラ読取モードと同じように個人情報、プリント画像を指定し、プリントサイズ・枚数を入力でするように表示し、指示する。変更できるが、変更しない場合は、Ｓ４７に進み、制御部２１の、画面上の「キーボード入力部」１６Ｅで端子ＳＥよりプリントサイズ・枚数情報を入力し、Ｓ４８で料金を演算し、表示する。もし、Ｓ４５でプリントサイズ、プリント枚数等の入力を取消したときはＳ４６に進み、メディア読取モードを終了する。【００６７】  料金支払中に、Ｓ５０で「取消部（ＣＡＮＣＥＬ）」１６Ｄが押されたことを制御部２１で認識すると、Ｓ５１に進み、紙幣用課金ボックス２３乃至は硬貨用課金ボックス２３Ａに入金された金銭を、それぞれの課金ボックスと接続した端子Ｎ、Ｑに対して制御部２１から支払われた金銭が返金口２３Ｘから排出されるように指示し返金する。【００６８】  料金の支払状態をＳ５１で判別し、料金が過剰に支払われた場合はＳ５２に進み、釣銭を支払う。料金が不足の場合はＳ５１で、所定時間を越しても金額が適正に支払わなければＳ４６に進み返金する。
もし適正に支払われるとＳ５４に進み、制御部２１より端子Ｒからの信号でレシートプリンター２４よりプリントされてレシートを発行する。Ｓ５３に進み、プリントを開始し、プリント中であることを図１６のように表示し、Ｓ５３に進みプリントが終了すると、図２０のように表示する。【００６９】  図２２はプリントサービス装置でプリンターを別体に設けた例であり、プリンター２５と制御部２６の端子Ｊは図３と同じように接続されている。【００７０】  デジタルカメラ１の送信部４と第２のメモリとの間に配されたアナログスイッチ４Ａと、メディアと第２のメモリの間に配されたアナログスイッチ１９Ａの両アナログスイッチが同時にオン状態にならないように制御部２１は制御する。カメラ読取モードで第２のメモリにデジタルカメラの画像が入力されてプリントが終了するまでの間は、制御部２１の端子Ｇにメディアからの画像が入力されないように、また、メディア読取モードによる画像が第２メモリに格納されてプリントが終了するまでの間はデジタルカメラからの画像が第２メモリに格納されないように、カメラの送信部４と接続する制御部２１の端子Ａに対して制御する。カメラ読取モードによる画像とメディア読取モードの画像が共に第２のメモリに同時期に入力されてプリントされないようにする。【００７１】  また、図２３のように回収をモータＭ２で載置台１５を回転させて載置台に載置されたカメラを落としていたが、モータでなくて突き出し棒のような棒材を３０で示すようなプランジャーで押して回収後プランジャーを復帰させる方式でもよい。【００７２】  これまで説明してきた実施例ではドアスイッチ部１６Ａ、画像読込部１６Ｂ、取消部１６Ｃ、ＯＫ部１６Ｄ、キーボード入力部を表示器１６の内部のタッチセンサーで設けたが、表示器１６の外部に設けてもよいことは言うまでもない。【００７３】  決済に関して本発明の実施例の装置ではプリント代を演算した金額と支払われた金額が一致したときにレシートを発行したが、金額が一致したことを証するものであれば、レシートに代わる領収書を発行してもよいことは言うまでもない。【００７４】  本発明のプリントサービスシステムでは、まず前記デジタルカメラのデジタルカメラ挿入口に開閉可能なドアを設けたのでいたずらをされることもなく、またデジタルカメラの画像をストアした第１のメモリに対して無線通信で第２のメモリに記憶するのでデジタルカメラの大きさとか形状に対して自由度があり、また用済みのデジタルカメラを回収する機構を設けたので確実にカメラを回収することができる。また、カメラ読取モードとメディア読取モードがあり、両モードによる画像が混合しないようにしてプリントが混同されないようにする効果を有する。
【符号の説明】
【００７５】  １      デジタルカメラ本体
２      撮影レンズ
３      第１のメモリ
４      送信部
４Ａ    アナログスイッチ
１１      プリントサービス装置
１２      デジタルカメラ挿入口
１３      ドア
１５      載置台
１６      表示器
１６Ａ    ドアスイッチ部
１６Ｂ    画像読込部
１６Ｃ    取消部
１６Ｄ    ＯＫ部
１６Ｅ    キーボード入力部
１８      第２のメモリ
１９      メディア
１９Ａ    アナログスイッチ
２０      メディア挿入部
２１      制御部
２３      紙幣用課金ボックス
２３Ａ    硬貨用課金ボックス
２３Ｂ    クレジットカード挿入部
２３Ｘ    返金口
２３Ｚ    釣銭供給部
２５      プリンター
２６      プリント取り出し口
２７      回収部
２８      発光器
２９      受光器
３０      プランジャー
Ｍ１、Ｍ２      モータ
ＭＳ１〜ＭＳ４  マイクロスイッチ
ＭＤ１、ＭＤ２  モータドライバー
【図１】
2010176653.tif 000005
【図２】
2010176653.tif 000006
【図３】
2010176653.tif 000007
【図４】
2010176653.tif 000008
【図５】
2010176653.tif 000009
【図６】
2010176653.tif 000010
【図７】
2010176653.tif 000011
【図８】
2010176653.tif 000012
【図９】
2010176653.tif 000013
【図１０】
2010176653.tif 000014
【図１１】
2010176653.tif 000015
【図１２】
2010176653.tif 000016
【図１３】
2010176653.tif 000017
【図１４】
2010176653.tif 000018
【図１５】
2010176653.tif 000019
【図１６】
2010176653.tif 000020
【図１７】
2010176653.tif 000021
【図１８】
2010176653.tif 000022
【図１９】
2010176653.tif 000023
【図２０】
2010176653.tif 000024
【図２１】
2010176653.tif 000025
【図２２】
2010176653.tif 000026
【図２３】
2010176653.tif 000027
【図２４】
2010176653.tif 000028